(57)【要約】【課題】  結束作業中に結束が緩んだり、結束するのに時間が掛かる問題を解消でき、且つしっかりと容易且つ簡単に結ぶことができ、しかもリサイクルする場合の不都合を解消できる新規の古新聞等被廃棄物の結束用具を提供する。【解決手段】  非伸縮性で折曲自在な素材により構成され、十字形状部と、当該十字形状部における四方各端に設けた結び紐の通し孔部を有し、通し孔部は、十字形状部の上に古新聞等被廃棄物を積み重ねたときには当該積み重ね状態物の下面の四方外周縁より外に出た視認可能状態になるようにされ、十字形状部と、四方各端に設けた結び紐の通し孔部は、紙、布等の解繊若しくは開繊可能素材製にされたことを特徴とする。【選択図】        図２
2008056284.tif 000002
【特許請求の範囲】
【請求項１】
非伸縮性で折曲自在な素材により構成され、十字形状部と、当該十字形状部における四方各端に設けた結び紐の通し孔部を有し、通し孔部は、上記十字形状部の上に古新聞等被廃棄物を積み重ねたときには、当該積み重ね状態物の下面の四方外周縁より外に出た視認可能状態になるようにされたことを特徴とする古新聞等被廃棄物の結束用具。
【請求項２】
十字形状部には、台紙を設けたことを特徴とする請求項１記載の古新聞等被廃棄物の結束用具。
【請求項３】
全体が、紙、布等の解繊若しくは開繊可能素材製であることを特徴とする請求項１または２記載の古新聞等被廃棄物の結束用具。
【発明の詳細な説明】
【技術分野】
【０００１】
本発明は、不要の新聞紙、古紙、本、雑誌、段ボール等（本文中、これらを古新聞等被廃棄物という）を廃棄するのに用いる古新聞等被廃棄物の結束用具に関する。
【背景技術】
【０００２】
従前、古新聞等被廃棄物を紙紐により容易に且つ強固に結束する又、結束されたままリサイクル処理ができる紙製結束用具は、特許文献１に開示されている。
【０００３】
しかしながら、上記紙製結束用具は、結束するときの結び止める個所が多く且つ結び紐を古新聞等被廃棄物の下面で交差させるなどの面倒さことがあり、結束作業中に結束が緩んだり、結束するのに時間が掛かる問題があった。
【０００４】
他方、樹脂製や金属製の結束用具を使用して結束する方法も従前なされているが、この方法により古新聞等被廃棄物を結束したときには、結束された古新聞等被廃棄物をリサイクルするために、これらの結束用具を全て取り除く必要がある不都合があった。
【特許文献１】特開２００３−２００９１２号公報
【発明の開示】
【発明が解決しようとする課題】
【０００５】
本発明は、上記のような問題点及び不都合を解消する工夫およびその他の工夫を施した新規の古新聞等被廃棄物の結束用具を提供することを目的とする。
【課題を解決するための手段】
【０００６】
上記目的を達成するために、請求項１に係る古新聞等被廃棄物の結束用具は、非伸縮性で折曲自在な素材により構成され、十字形状部と、当該十字形状部における四方各端に設けた結び紐の通し孔部を有し、通し孔部は、上記十字形状部の上に古新聞等被廃棄物を積み重ねたときには、当該積み重ね状態物の下面の四方外周縁より外に出た視認可能状態になるようにされたことを特徴とする。
【０００７】
すなわち、請求項１に係る古新聞等被廃棄物の結束用具は、例えば、図１に示すように全体を床の上若しくは卓上等に伸展状態にして置いたのち、同図に示すように十字形状部の上に古新聞等被廃棄物を、上記四方の通し孔部が当該古新聞等被廃棄物の下面の四方外周縁より外に出た視認可能状態になるように積み重ねて載せ置き、次いで、図２に示すように、当該積み重ね状態物の上に先ず一本目の結び紐を配してその両端を左右に位置している通し孔部に通してから、図３に示すように、これら両端を強く引き寄せて保持しながら相互に結び止め、その後に図４に示すように、二本目の結び紐を上記一本目の結び紐と交差する向きとして上記積み重ね状態物の上に配してその両端を前後に位置している通し孔部に通してから、これら両端を強く引き寄せて保持しながら結び止める要領で使用できる。
【０００８】
したがって、請求項１に係る古新聞等被廃棄物の結束用具は、結束するときの結び止める個所が２個所と少なく且つ結び紐を古新聞等被廃棄物の下面で交差させるなどの面倒さがないのみならず、結び紐を通し孔部に通して結び止める場合には、重くて崩れを起しやすい積み重ね状態物を浮かし上げたり、全体を上下反転させたりさせる等というような仕草は全く必要ないものであって、結束作業中に結束が緩んだり、結束するのに時間が掛かる問題を解消できる。しかも、通し孔部に通してから結び紐を引き寄せて保持しながら相互に結び止める際には、通す前の紐と通した後の紐とが重なって擦り遭う格好（図３及び図４参照）になるから、結果として、手の持ち替え等の都合で引き締めを中断するようなことになっても当該引締の所謂逆戻りが生じにくく、しっかりと結ぶことができる。
【０００９】
請求項２に係る古新聞等被廃棄物の結束用具は、十字形状部に台紙を設けたことを特徴とする。
【００１０】
したがって、請求項２に係る古新聞等被廃棄物の結束用具は、全体を床の上等に置く場合には困難なく上記伸展の状態に置くことができると共に十字形状部の上すなわち台紙の上に古新聞等被廃棄物を積み重ね置くときには当該台紙がガイド作用を果すから、当該重ね置き作業を容易且つ能率よく行うことができる。また、台紙は、十字形状部を目立たないようにし、全体の体裁をよくする。
【００１１】
請求項３に係る古新聞等被廃棄物の結束用具は、全体が、紙、布等の解繊若しくは開繊可能素材製であることを特徴とする。
【００１２】
したがって、請求項３に係る古新聞等被廃棄物の結束用具は、リサイクルが可能であり、金属製や樹脂製の結束用具を使用して結束する従来の方法のような結束用具を取り除く必要がなくなり、上記リサイクルする場合の不都合を解消できる。この場合、後述するように接着剤等は溶解性のものを使用する。
【発明の効果】
【００１３】
本発明に係る古新聞等被廃棄物の結束用具によれば、結束作業中に結束が緩んだり、結束するのに時間が掛かる問題を解消でき、しっかりと容易且つ簡単に結ぶことができるのみならず上記リサイクルする場合の不都合を解消できる。
【発明を実施するための最良の形態】
【００１４】
図１に示す第１実施の形態に係る古新聞等被廃棄物の結束用具１は、細幅の布テープにより構成され、十字形状部２と、当該十字形状部２における四方各端に設けた結び紐の通し孔部３a、３b、３c、３dを有し、これら通し孔部３a、３b、３c、３dは、上記十字形状部２の上に古新聞４を積み重ねたときには、当該積み重ね状態物５の下面の四方外周縁より外に出た視認可能状態になるようにされたものである。すなわち、十字形状部２は、２本の布テープ６a、６bを交差させてその交点個所を縫い止めて構成され、また、通し孔部３a、３b、３c、３dは、十字形状部２の四方各端を延長して二つ折りにすると共に当該延長部分７の両端を縫い止めることにより構成されたものである。
【００１５】
すなわち、第１実施の形態に係る請求項１に係る古新聞等被廃棄物の結束用具１は、例えば、図１に示すように全体を床の上若しくは卓上等に伸展状態にして置いたのち、同図に示すように十字形状部２の上に4つに折った状態(週刊誌サイズ)にした古新聞４を、上記四方の通し孔部３a、３b、３c、３dが当該古新聞４の下面の四方外周縁より外に出た視認可能の状態になるように積み重ねて載せ置き、次いで、図２に示すように、当該積み重ね状態物５の上に先ず一本目の結び紐８を配してその両端８a、８bを左右に位置している通し孔部３a、３bに通してから、図３に示すように、これら両端８a、８bを強く引き寄せて保持しながら相互に結び止め、その後に図４に示すように、二本目の結び紐９を上記一本目の結び紐８と交差する向きとして上記積み重ね状態物５の上に配してその両端９a、９bを前後に位置している通し孔部３c、３dに通してから、これら両端９a、９bを強く引き寄せて保持しながら結び止める要領で使用できる。
【００１６】
図５に示す第２実施の形態に係る古新聞等被廃棄物の結束用具１１は、古紙と一緒に再生できる紙の細幅片１３a、１３b、１３c、１３dをUの字状に折ることにより４本の構成部材１４a、１４b、１４c、１４dを得ると共にこれら構成部材１４a、１４b、１４c、１４dの両辺部分の途中までを貼り合わせてUの字状の折り部分を通し孔部１５a、１５b、１５c、１５dとし、また上記貼り合わせ部分１６a、１６b、１６c、１６dの先端部を接着剤（図示せず）により重ね止めて十字形状部１７としたものである。なお、１８a、１８bは補強を兼ねる古紙と一緒に再生できる紙紙製の化粧片を示す。
【００１７】
図６に示す第３実施の形態に係る古新聞等被廃棄物の結束用具２１は、複数本の古紙と一緒に再生できる紙製の紙ひも２２を相互に水溶性の接着剤（図示せず）により並べ固定して強くした平ひも２３を用いて構成されたものであって、十字形状部２４と、当該十字形状部２４における四方各端に設けた結び紐の通し孔部２５a、２５b、２５c、２５dを有するものである。なお、複数本の紙ひも２２をよりあせて一本に綯ったひもを用いて、十字形状部２４、通し孔部２５a、２５b、２５c、２５dを構成してもよい。なお、２８a、２８bは、補強を兼ねる紙製の化粧片を示す。また、十字形状部２４及び通し孔部２５a、２５b、２５c、２５dは結び目２９を作ることで構成しているが、結び目を作らずに粘着テープで止めてもよい。
【００１８】
図７に示す第４実施の形態に係る古新聞等被廃棄物の結束用具３１は、4つに折った状態(週刊誌サイズ)にした古新聞４と略同じサイズの解繊可能な素材製の台紙３５a、３５bをその間に十字形状部３４を挟んで固定したものである。この台紙３５a、３５bを小さくすること、一枚にすることは自由である。３３a、３３b、３３c、３３dは、結び紐の通し孔部である。
【００１９】
図８に示す第５実施の形態に係る古新聞等被廃棄物の結束用具４１は、合成樹脂素材による成形により構成されたものであって、十字形状部４２と、当該十字形状部４２における四方各端に設けた結び紐の通し孔部４３a、４３b、４３c、４３dを有するものである。
【００２０】
図９に示す第６実施の形態に係る古新聞等被廃棄物の結束用具５１は、十字形状部５２がその中心に菱形部５４を有し、当該菱型部５４の四方個所には結び紐の通し孔部５３a、５３b、５３c、５３dが設けられたものである。なお、同図９に示すように、4つに折った状態(週刊誌サイズ)にした古新聞４と略同じサイズの解繊可能な素材製の台紙５５a、５５bをその間に十字形状部５２を挟んで固定したものである。この台紙は設けないで実施提供することができる。
【００２１】
この第６実施の形態に係る古新聞等被廃棄物の結束用具５１は、上記積み重ね状態物５を一本目の結び紐５５aにより締め付けられた場合には菱形部５４は長孔形状に変形し、その後に二本目の結び紐５５bにより締め付けられた場合には菱形に戻ることで、前後左右の四方から平均した締付力により強く束ねることができ且つ当該古新聞４を束ねる作業を能率よく簡単容易にでき、しかも、前後方向・左右方向の締付が所謂二段締め方式で容易且つ強く行うことができうるようにされたものである。
【００２２】
請求項１に係る古新聞等被廃棄物の結束用具は、麻紐等天然素材、化学繊維素材、金属素材、合成皮革素材、天然皮材、その他たとえば地球・環境にやさしい合成樹脂素材を用いて構成すること、縒紐、編紐、織紐で構成することができる。また、結束作業時に通し孔部の向き替えや位置決め等を可能且つ容易にするために、折り曲げ変形が自在であってその変形の形状を保持しうる素材により構成してもよい。
【００２３】
請求項３に係る古新聞等被廃棄物の結束用具は、古紙と一緒に再生できる紙製の紙ひもに結び加工を施して十字形状部及び通し孔部を構成したり、結び目を作らずに古紙と一緒に再生できる粘着テープで交点部分を仕上げることで構成したりすることが好ましい。
【図面の簡単な説明】
【００２４】
【図１】本発明の第１実施の形態を示す斜視図である。
【図２】同じく使用の途中の状態を示す斜視図である。
【図３】同じく使用の次の途中状態を示す斜視図である。
【図４】同じく使用の状態を示す斜視図である。
【図５】本発明の第２実施の形態を示す斜視図である。
【図６】本発明の第３実施の形態を示す斜視図である。
【図７】本発明の第４実施の形態を示す斜視図である。
【図８】本発明の第５実施の形態を示す斜視図である。
【図９】本発明の第６実施の形態を示す斜視図である。
【符号の説明】
【００２５】
１  第１実施の形態に係る古新聞等被廃棄物の結束用具
２  十字形状部
３a、３b、３c、３d  通し孔部
４  古新聞
５  積み重ね状態物
６a、６b  布テープ
７  延長部分
８  一本目の結び紐
８a、８b  その両端
９  二本目の結び紐
９a、９b  その両端
１１  第２実施の形態に係る古新聞等被廃棄物の結束用具
１３a、１３b、１３c、１３d  細幅片
１４a、１４b、１４c、１４d  構成部材
１５a、１５b、１５c、１５d  通し孔部
１６a、１６b、１６c、１６d  貼り合わせ部分
１７  十字形状部
１８a、１８b  紙製の化粧片
２１  第３実施の形態に係る古新聞等被廃棄物の結束用具
２２  紙ひも
２３  平ひも
２４  十字形状部
２５a、２５b、２５c、２５d  通し孔部
２８a、２８b  紙製の化粧片
３１  第４実施の形態に係る古新聞等被廃棄物の結束用具
３３a、３３b、３３c、３３d  通し孔部
３４  十字形状部
３５a、３５b  台紙
４１  第５実施の形態に係る古新聞等被廃棄物の結束用具
４２  十字形状部
４３a、４３b、４３c、４３d  通し孔部
５１  第６実施の形態に係る古新聞等被廃棄物の結束用具
５２  十字形状部
５３a、５３b、５３c、５３d  通し孔部
５５a、５５b  台紙
【図１】
2008056284.tif 000003
【図２】
2008056284.tif 000004
【図３】
2008056284.tif 000005
【図４】
2008056284.tif 000006
【図５】
2008056284.tif 000007
【図６】
2008056284.tif 000008
【図７】
2008056284.tif 000009
【図８】
2008056284.tif 000010
【図９】
2008056284.tif 000011